Podtech/llm-jp-corpus-v4-ja_patent huggingface dataset:
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
図柄始動口として第１始動口、第２始動口を備え、
前記図柄始動口への入球に基づき実行される当否判定の結果が当選であることに基づき特別遊技を実行する特別遊技実行手段と、
前記当否判定の結果に基づいて演出を実行する演出制御手段と、
前記当否判定の結果に基づいて、前記特別遊技の後に遊技状態を、前記第２始動口への入球が容易となる特定遊技状態に移行させる遊技状態制御手段と、
を具備し、
前記当否判定の結果が前記当選となる確率として設定されている設定確率を、所定の操作に基づいて変更可能な遊技機であって、
前記演出制御手段は、前記当否判定の結果に対応した演出図柄を表示可能とし、該演出図柄は前記当否判定の結果に対して参照される演出図柄決定テーブルを複数備え、
前記演出図柄決定テーブルは、前記当否判定の結果に対応しつつ前記設定確率に応じて設けられた専用の第１演出図柄決定テーブルと、前記当否判定の結果に対応しつつ前記設定確率と無関係に設けられた共通の第２演出図柄決定テーブルとを具備し、
前記第１演出図柄決定テーブルは、前記特定遊技状態にて前記第２始動口への入球に基づいて当否判定された際に参照される
ことを特徴とする遊技機。
【手続補正２】
【補正対象書類名】明細書
【補正対象項目名】０００８
【補正方法】変更
【補正の内容】
【０００８】
請求項１に記載の遊技機は、
図柄始動口として第１始動口、第２始動口を備え、
前記図柄始動口への入球に基づき実行される当否判定の結果が当選であることに基づき特別遊技を実行する特別遊技実行手段と、
前記当否判定の結果に基づいて演出を実行する演出制御手段と、
前記当否判定の結果に基づいて、前記特別遊技の後に遊技状態を、前記第２始動口への入球が容易となる特定遊技状態に移行させる遊技状態制御手段と、
を具備し、
前記当否判定の結果が前記当選となる確率として設定されている設定確率を、所定の操作に基づいて変更可能な遊技機であって、
前記演出制御手段は、前記当否判定の結果に対応した演出図柄を表示可能とし、該演出図柄は前記当否判定の結果に対して参照される演出図柄決定テーブルを複数備え、
前記演出図柄決定テーブルは、前記当否判定の結果に対応しつつ前記設定確率に応じて設けられた専用の第１演出図柄決定テーブルと、前記当否判定の結果に対応しつつ前記設定確率と無関係に設けられた共通の第２演出図柄決定テーブルとを具備し、
前記第１演出図柄決定テーブルは、前記特定遊技状態にて前記第２始動口への入球に基づいて当否判定された際に参照される
ことを特徴とする。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
被写体の像を反射面で反射させる反射手段と、
前記反射面に重なるように配置された表示手段と、
前記被写体に関する情報を取得する取得手段と、
前記取得手段により取得された前記被写体に関する情報に基づいて、所定の情報を加工する加工手段と、
前記所定の情報又は前記加工手段により加工された加工済み情報を、前記反射手段により反射された被写体の像と重ねて前記表示手段に表示する表示制御手段と、
を備えることを特徴とする表示装置。
【請求項２】
前記表示制御手段は、
前記取得手段により取得された前記被写体となった人物に関する情報に基づいて、前記表示手段に表示させる制御を行う、
ことを特徴とする請求項１に記載の表示装置。
【請求項３】
前記被写体となった人物に関する情報とは、前記被写体となった人物の肌の色に関する情報である、
ことを特徴とする請求項２に記載の表示装置。
【請求項４】
前記加工手段は、前記被写体の像を前記表示手段の表示面の全面に表示する場合に、前記取得手段が取得した前記肌の色に関する情報に基づいて前記所定の情報を加工する、
ことを特徴とする請求項３に記載の表示装置。
【請求項５】
前記加工手段は、前記反射手段により反射された前記被写体の像と前記表示手段に表示された前記所定の情報とが重なる場合に、前記所定の情報を加工する、
ことを特徴とする請求項１乃至４の何れか１項に記載の表示装置。
【請求項６】
前記取得手段は、前記被写体に関する情報として、前記反射手段での前記被写体の像の反射位置に対応する前記表示手段の表示面の座標を取得し、
前記表示制御手段は、前記加工手段が加工した前記加工済み情報を、前記取得手段が取得した前記表示手段の表示面の座標に表示させる制御を行う、
ことを特徴とする請求項１乃至５の何れか１項に記載の表示装置。
【請求項７】
前記取得手段は、前記被写体に関する情報として、前記被写体の各位置の座標毎、もしくは前記被写体の各部位に対応する位置の座標毎に、それぞれ対応する加工基準情報を取得し、
前記加工手段は、前記取得手段により取得された前記加工基準情報に基づいて前記所定の情報を加工する、
ことを特徴とする請求項１乃至６の何れか１項に記載の表示装置。
【請求項８】
前記加工手段は、前記所定の情報を前記表示手段の一部に表示する場合に、前記取得手段により取得された前記加工基準情報に基づいて前記所定の情報を加工する、
ことを特徴とする請求項７に記載の表示装置。
【請求項９】
前記加工手段は、前記所定の情報が示す画像の形状の輪郭に対応する領域に対して加工を行う請求項１乃至８の何れか１項に記載の表示装置。
【請求項１０】
前記加工手段は、前記所定の情報が示す画像を複数の領域に区分し、区分した前記領域毎に異なる度合いで、段階的に加工を行う請求項１乃至９の何れか１項に記載の表示装置。
【請求項１１】
前記加工手段は、前記所定の情報が示す画像の少なくとも一部を、前記被写体に関する情報に基づいた色とする加工を行う請求項１乃至１０の何れか１項に記載の表示装置。
【請求項１２】
前記加工手段は、前記所定の情報が示す画像を複数の格子状に区分し、区分した格子毎に前記表示制御手段による表示の対象とする画像の密度を異ならせる加工を行う請求項１乃至１１の何れか１項に記載の表示装置。
【請求項１３】
前記反射手段は、前記反射面の正面側に対して前記被写体の像を反射すると共に、前記反射面の正面側に対して前記表示手段が表示する前記所定の情報を透過することにより、前記被写体の像と前記所定の情報とを重畳する、
ことを特徴とする請求項１乃至１２の何れか１項に記載の表示装置。
【請求項１４】
前記被写体を撮像する撮像手段を更に備え、
前記取得手段は、前記撮像手段により撮像された前記被写体の撮像画像から、前記被写体に関する情報を取得する、
ことを特徴とする請求項１乃至１３の何れか１項に記載の表示装置。
【請求項１５】
前記撮像手段は、前記反射手段での前記被写体の像の反射位置と、前記表示手段の表示面の座標との対応関係を補正する、
ことを特徴とする請求項１４に記載の表示装置。
【請求項１６】
前記反射手段は、ハーフミラーであり、
前記表示手段は、前記反射手段の反射面の背面に配置され、前記所定の情報を表示する、
ことを特徴とする請求項１乃至１５の何れか１項に記載の表示装置。
【請求項１７】
前記表示手段は、透過型の表示手段であり、
前記反射手段は、前記表示手段の背面に配置される、
ことを特徴とする請求項１乃至１５の何れか１項に記載の表示装置。
【請求項１８】
被写体の像を反射面で反射させる反射手段と、
前記反射面に重なるように配置された表示手段と、
前記被写体に関する情報を取得する取得手段と、
前記取得手段により取得された前記被写体に関する情報が所定の条件を満たしている場合に第１の情報を前記表示手段に表示させる一方で、前記被写体に関する情報が所定の条件を満たしていない場合には第２の情報を前記表示手段に表示させる表示制御手段と、
を備え、
前記第２の情報は、前記第１の情報が前記被写体に関する情報に基づいて加工された情報である、
ことを特徴とする表示装置。
【請求項１９】
被写体の像を反射面で反射させる反射手段と、
前記反射面に重なるように配置された表示手段と、
を備えたコンピュータが行う表示方法であって、
前記被写体に関する情報を取得する取得ステップと、
前記取得ステップにて取得された前記被写体に関する情報に基づいて、所定の情報を加工する加工ステップと、
前記所定の情報又は前記加工ステップにて加工された加工済み情報を、前記反射手段により反射された被写体の像と重ねて前記表示手段に表示する制御を行う表示制御ステップと、
を備えることを特徴とすることを特徴とする表示方法。
【請求項２０】
被写体の像を反射面で反射させる反射手段と、
前記反射面に重なるように配置された表示手段と、
を備えたコンピュータに、
前記被写体に関する情報を取得する取得機能と、
前記取得機能により取得された前記被写体に関する情報に基づいて、所定の情報を加工する加工機能と、
前記所定の情報又は前記加工機能により取得された加工済み情報を、前記反射手段により反射された被写体の像と重ねて前記表示手段に表示する制御を行う表示制御機能と、
を備えることを特徴とする表示プログラム。
【手続補正２】
【補正対象書類名】明細書
【補正対象項目名】０００６
【補正方法】変更
【補正の内容】
【０００６】
上記目的を達成するため、本発明の一態様の表示装置は、
被写体の像を反射面で反射させる反射手段と、
前記反射面に重なるように配置された表示手段と、
前記被写体に関する情報を取得する取得手段と、
前記取得手段により取得された前記被写体に関する情報に基づいて、所定の情報を加工する加工手段と、
前記所定の情報又は前記加工手段により加工された加工済み情報を、前記反射手段により反射された被写体の像と重ねて前記表示手段に表示する表示制御手段と、
を備えることを特徴とする。
【手続補正書】
【提出日】令和3年8月10日(2021.8.10)
【手続補正１】
【補正対象書類名】明細書
【補正対象項目名】００５６
【補正方法】変更
【補正の内容】
【００５６】
・図７に示すように、規制部５８が省略され、湾曲部２５６と延在部２５７とにより構成された押圧部２５５Ａ，２５５Ｂを採用することもできる。
・図８に示すように、対向壁部５３とは別体の押圧部３５５Ａ，３５５Ｂを採用することもできる。この場合、各押圧部３５５Ａ，３５５Ｂは、対向壁部５３に例えば溶接により固定すればよい。
【手続補正書】
【提出日】令和3年9月7日(2021.9.7)
【手続補正１】
【補正対象書類名】明細書
【補正対象項目名】００４５
【補正方法】変更
【補正の内容】
【００４５】
本実施形態では、外部からの入力操作を受けてティーチボタン１８の軸部１８ｂが軸方向に移動したときに、Ｏリング６０における平面部６２の一方が軸部１８ｂの外周面に当接され、他方が筐体１２の一部に当接される。具体的には、図８（Ａ）に示すように、ティーチボタン１８の軸部１８ｂが上方側に移動して、軸部１８ｂの外周面に接するＯリング６０が摩擦により回転が生じる際に（縦断面視において、曲面部６１及び平面部６２の左右方向中央を通り軸ＡＸ１（図７参照）に平行な軸ＡＸ２を定義したときに、当該軸ＡＸ２に直交する軸Ｎが、軸Ｎ´に回転するＯリング６０の捻じれが生じる際に）、上方側平面部６２ａの外周面６２２ａの上端が、筐体１２の一部に当接され、下方側平面部６２ｂの内周面６２１ｂの下端が、ティーチボタン１８の軸部１８ｂの外周面に当接される。一方、図８（Ｂ）に示すように、ティーチボタン１８の軸部１８ｂが下方側に移動して、軸部１８ｂの外周面に接するＯリング６０が摩擦により回転が生じる際に（縦断面視において、曲面部６１及び平面部６２の左右方向中央を通り軸ＡＸ１（図７参照）に平行な軸ＡＸ２を定義したときに、当該軸ＡＸ２に直交する軸Ｎが、軸Ｎ´に回転するＯリング６０の捻じれが生じる際に）、上方側平面部６２ａの内周面６２１ａの上端が、ティーチボタン１８の軸部１８ｂの外周面に当接され、下方側平面部６２ｂの外周面６２２ｂの下端が、筐体１２の一部に当接される。このように本実施形態では、外部からの入力操作を受けてティーチボタン１８における軸部１８ｂが軸方向に移動したときに、一対の平面部６２ａ、６２ｂのうちの一方が軸部１８ｂの外周面に当接され、一対の平面部６２ａ、６２ｂのうちの他方が筐体１２の一部に当接される。これにより、筐体１２と軸部１８ｂとの間に配置されるＯリング６０が摩擦により過剰な回転が生じることを抑えることができる。
【手続補正２】
【補正対象書類名】図面
【補正対象項目名】図８
【補正方法】変更
【補正の内容】
【図８】
2020149925.tif 000001
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
復号装置によって実行される、高次Ambisonics（ＨＯＡ）復号の方法であって、
ラウドスピーカの球面調和関数の状態を記述するベクトルに関する情報を受け取ることと、
球面調和関数の状態を記述するベクトルを決定することであって、デコーダモードマトリックスと、前記デコーダモードマトリックスの特異値分解とを決定することにより決定することを含み、前記ベクトルは前記ベクトルに関する情報のマトリックスに基づく、ことと、
前記球面調和関数の状態を記述するベクトルに基づいて、ベクトルベース信号のHOA表現を決定することとを含み、
前記ベクトルに関する情報マトリックスは音源の方向に基づいて適応されたものである、
方法。
【請求項２】
ラウドスピーカの方向値とデコーダAmbisonics次数とに関する情報を受け取り、前記方向値に対応する方向にあるラウドスピーカのベクトルを決定し、ラウドスピーカの方向値と前記デコーダAmbisonics次数とに基づいて前記デコーダモードマトリックスを決定することをさらに含む、請求項1に記載の方法。
【請求項３】
前記デコーダモードマトリックスの特異値分解に基づいて、前記デコーダモードマトリックスの最終的なランクと特異値とを含むデコーダ対角マトリックスと２つの対応するデコーダユニタリマトリックスとを決定することをさらに含む、請求項2に記載の方法。
【請求項４】
前記ラウドスピーカの前記球面調和関数のベクトルと前記デコーダモードマトリックスとは、線形演算を含む対応するパニング関数と、オーディオ入力信号中の原位置の、ラウドスピーカ出力信号のベクトル中の前記ラウドスピーカの位置へのマッピングとに基づく、
請求項2に記載の方法。
【請求項５】
高次Ambisonics（ＨＯＡ）復号する装置であって、
ラウドスピーカの球面調和関数の状態を記述するベクトルに関する情報を受け取るレシーバと、
プロセッサであって、球面調和関数の状態を記述するベクトルを決定することであって、デコーダモードマトリックスと、前記デコーダモードマトリックスの特異値分解とを決定することにより決定することを含み、前記ベクトルは前記ベクトルに関する情報のマトリックスに基づく、プロセッサとを有し、前記プロセッサはさらに、前記球面調和関数の状態を記述するベクトルに基づいて、ベクトルベース信号のHOA表現を決定するように構成され、
前記ベクトルに関する情報マトリックスは音源の方向に基づいて適応されたものである、
装置。
【請求項６】
前記プロセッサは、前記ラウドスピーカの方向値とデコーダAmbisonics次数とに関する情報を受け取り、前記方向値に対応する方向にあるラウドスピーカのベクトルを決定し、ラウドスピーカの方向値と前記デコーダAmbisonics次数とに基づいて前記デコーダモードマトリックスを決定するようにさらに構成される、請求項5に記載の装置。
【請求項７】
前記プロセッサは、前記前記デコーダモードマトリックスの特異値分解に基づいて、前記デコーダモードマトリックスの最終的なランクと特異値とを含むデコーダ対角マトリックスと２つの対応するデコーダユニタリマトリックスとを決定するようにさらに構成される、、
請求項5に記載の装置。
【請求項８】
前記ラウドスピーカの前記球面調和関数のベクトルと前記デコーダモードマトリックスとは、線形演算を含む対応するパニング関数と、オーディオ入力信号中の原位置の、ラウドスピーカ出力信号のベクトル中の前記ラウドスピーカの位置へのマッピングとに基づく、
請求項5に記載の装置。
【請求項９】
コンピュータにより実行されると、前記コンピュータに請求項１に記載の方法を実行させるコンピュータプログラム。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
定格の動作クロックで動作する定格状態と、定格よりも高速な動作クロックで動作可能な高速状態とを設定可能なＣＰＵ（３）と、
前記ＣＰＵ（３）を定格状態または高速状態のいずれかに設定する設定部（３ｂ）と、を備え、
前記設定部（３ｂ）は、起動から所定期間において前記ＣＰＵ（３）を動作クロックが変動可能な高速状態に設定するとともに、所定期間が経過した後は前記ＣＰＵ（３）を動作クロックが変動しない定格状態に設定する車両用装置。
【請求項２】
前記設定部は、所定期間として、起動からヒューマンマシンインターフェースの提供が開始されるまでの期間において、前記ＣＰＵを高速状態に設定する請求項１記載の車両用装置。
【請求項３】
前記設定部は、所定期間として、起動から前記ＣＰＵ上で動作するアプリケーション（３０ａ、３０ｂ、３０ｃ、４０ａ、４０ｂ、４０ｃ、４０ｄ、４０ｅ、４０ｆ、４０ｇ）が実行されるまでの期間において、前記ＣＰＵを高速状態に設定する請求項１記載の車両用装置。
【請求項４】
前記ＣＰＵによって制御される機能部（４、５、６、７、８、９、１０、１１、３０ａ、３０ｂ、３０ｃ、４０ａ、４０ｂ、４０ｃ、４０ｄ、４０ｅ、４０ｆ、４０ｇ）を備え、
前記設定部は、所定期間として、起動から前記機能部（４、５、６、７、８、９、１０、１１、３０ａ、３０ｂ、３０ｃ、４０ａ、４０ｂ、４０ｃ、４０ｄ、４０ｅ、４０ｆ、４０ｇ）の動作が開始されるまでの期間において、前記ＣＰＵを高速状態に設定する請求項１記載の車両用装置。
【請求項５】
前記設定部は、所定期間として、起動から前記ＣＰＵ上で動作するオペレーティングシステム（２０、３０、４０）が立ち上がるまでの期間において、前記ＣＰＵを高速状態に設定する請求項１記載の車両用装置。
【請求項６】
前記ＣＰＵに接続されている周辺回路（４、５、６、７、８、９、１０、１１）を備え、
前記設定部は、所定期間として、起動から前記周辺回路（４、５、６、７、８、９、１０、１１）の初期化が完了するまでの期間において、前記ＣＰＵを高速状態に設定する請求項１記載の車両用装置。
【手続補正２】
【補正対象書類名】明細書
【補正対象項目名】０００８
【補正方法】変更
【補正の内容】
【０００８】
実施形態の車両用装置（１）は、定格の動作クロックで動作する定格状態と、定格よりも高速な動作クロックで動作可能な高速状態とを設定可能なＣＰＵ（３）と、ＣＰＵ（３）を定格状態または高速状態のいずれかに設定する設定部（３ｂ）と、を備え、設定部（３ｂ）は、起動から所定期間においてＣＰＵ（３）を動作クロックが変動可能な高速状態に設定するとともに、所定期間が経過した後はＣＰＵ（３）を動作クロックが変動しない定格状態に設定する。
【手続補正書】
【提出日】令和3年9月10日(2021.9.10)
【手続補正１】
【補正対象書類名】明細書
【補正対象項目名】００２６
【補正方法】変更
【補正の内容】
【００２６】
＜実施形態１＞
本開示の実施形態１にかかるコネクタ構成体１０が図１から図８を参照しつつ説明される。以下の説明では、Ｚ方向を上方とし、Ｙ方向を前方とし、Ｘ方向を左方として説明する。なお、複数の同一部材については、一部の部材に符号を付し、他の部材については符号を省略する場合がある。
【手続補正２】
【補正対象書類名】明細書
【補正対象項目名】００２９
【補正方法】変更
【補正の内容】
【００２９】
雄ハウジング１５は、複数の雄端子１３が収容される雄収容部１６を有する。雄収容部１６は上下方向に並んでいる。雄収容部１６内には前方から雄端子１３が挿入される。雄収容部１６の後端部には雄フロントマスク１７が取り付けられており、雄フロントマスク１７が雄端子１３に後方から接触することにより、雄端子１３が後方へ抜け止めされている。雄フロントマスク１７は絶縁性の合成樹脂を含む材料が射出成型されることにより形成される。
【手続補正３】
【補正対象書類名】明細書
【補正対象項目名】００３６
【補正方法】変更
【補正の内容】
【００３６】
雌ハウジング２６は複数の雌端子１１が収容される雌収容部２７（収容部の一例）を有する。雌収容部２７は上下方向に並んでいる。雌収容部２７内には後方から雌端子１１が挿入される。雌収容部２７の前端部には雌フロントマスク２８が取り付けられており、雌フロントマスク２８が雌端子１１に前方から接触することにより、雌端子１１が前方へ抜け止めされている。雌フロントマスク２８は絶縁性の合成樹脂を含む材料が射出成型されることにより形成される。
【手続補正４】
【補正対象書類名】明細書
【補正対象項目名】００４０
【補正方法】変更
【補正の内容】
【００４０】
［雌端子１１］
図２に示されるように、雌端子１１は金属板材を所定の形状にプレス加工して形成される。金属板材を構成する金属は、銅、銅合金、アルミニウム、アルミニウム合金等、任意の金属を選択できる。雌端子１１の前端部には雄タブ２２が前方から挿入される筒部３３が設けられている。筒部３３の内部には弾性変形可能な弾性片３４が配されている。
【手続補正５】
【補正対象書類名】明細書
【補正対象項目名】００５２
【補正方法】変更
【補正の内容】
【００５２】
金属板材が所定の形状にプレス加工されることにより雄端子１３が形成される。絶縁性の合成樹脂を含む材料が射出成型されることにより雄ハウジング１５と雄フロントマスク１７が形成される。電線２４Ａが接続された雄端子１３が雄ハウジング１５の雄収容部１６内に前方から挿入される。雄端子１３の金属ランス２５Ａが雄収容部１６の内壁に係合されることにより雄端子１３が雄収容部１６内に前方へ抜け止めされる。雄フロントマスク１７が雄ハウジング１５に後方から組み付けられることにより、雄端子１３が雄収容部１６内に後方へ抜け止め状態で保持される。これにより雄コネクタ１４が完成する。
【手続補正６】
【補正対象書類名】明細書
【補正対象項目名】００５３
【補正方法】変更
【補正の内容】
【００５３】
金属板材が所定の形状にプレス加工されることにより雌端子１１が形成される。雌端子１１の雌バレル３５が電線２４Ｂに圧着される。絶縁性の合成樹脂を含む材料が射出成型されることにより雌ハウジング２６と雌フロントマスク２８が形成される。電線２４Ｂが接続された雌端子１１が雌ハウジング２６の雌収容部２７内に後方から挿入される。雌端子１１の金属ランス２５Ｂが雌収容部２７の内壁に係合されることにより雌端子１１が雌収容部２７内に後方へ抜け止めされる。雌フロントマスク２８が雌ハウジング２６に前方から組み付けられることにより、雌端子１１が雌収容部２７内に前方へ抜け止め状態で保持される。上下方向に並ぶ雌収容部２７内にそれぞれ収容された雌端子１１は、各雌端子１１に設けられた外接点４０を介して電気的に接続される。これにより雌コネクタ１２が完成する。
【手続補正７】
【補正対象書類名】明細書
【補正対象項目名】００７５
【補正方法】変更
【補正の内容】
【００７５】
第１迂回部６３および第２迂回部６４は、筒部３３内に挿入された状態の雄タブ２２の左右両側方に、それぞれ位置しているので、内接点３７に加えられる荷重、および第１外接点６５及び第２外接点６６に加えられる荷重を、雄タブ２２の両側方に位置する第１迂回部６３および第２迂回部６４で均等に受けることができる。これにより、内接点３７、ならびに、第１外接点６５および第２外接点６６の電気的な接続信頼性が向上する。
【手続補正書】
【提出日】令和3年9月10日(2021.9.10)
【手続補正１】
【補正対象書類名】明細書
【補正対象項目名】００１６
【補正方法】変更
【補正の内容】
【００１６】
上記の構成によれば、可動部材とムービングプレートとを１つの部材で兼ねることができるので、解除部材をムービングプレートと別に配設する場合に比べて部品点数を減少させられる。
【手続補正２】
【補正対象書類名】明細書
【補正対象項目名】００５８
【補正方法】変更
【補正の内容】
【００５８】
図８には、レバー３５が更に回転されて、雌コネクタ１２およびムービングプレート３８がフード部２３の後方に更に移動した状態が示される。雌コネクタ１２の雌側凹部１９の内壁に、解除部材４７の前端部が接触している。これにより、雌コネクタ１２およびムービングプレート３８が後方に移動することに伴って、解除部材４７が雌コネクタ１２に押されて後方に移動する。解除部材４７のうち雄コネクタ１１側の端部は、雄ストッパ２７を貫通して、短絡端子２８の接触片３３に前方から接触する。雄タブ１５は接続筒部２５の内部に挿入されている。これにより、雄端子１６と雌端子１４とが電気的に接続される。短絡端子２８の接触片３３は雄端子１６の上壁に接触しており、隣り合う雄端子１６同士は、まだ電気的に短絡されている。
【手続補正３】
【補正対象書類名】明細書
【補正対象項目名】００６５
【補正方法】変更
【補正の内容】
【００６５】
本実施形態によれば、フード部２３内に配された雄端子１６の位置決めをするムービングプレート３８に解除部材４７が配設されている。これにより、解除部材４７をムービングプレート３８と別に配設する場合に比べて、部品点数を減少させられる。
【手続補正４】
【補正対象書類名】明細書
【補正対象項目名】００７３
【補正方法】変更
【補正の内容】
【００７３】
＜実施形態２＞
次に、本開示の実施形態２が図１０から図１４を参照しつつ説明される。図１０に示されるように、本実施形態にかかる雄コネクタ１１に設けられた雄側凹部２９の内部には、短絡端子２８は収容されていない。本実施形態にかかる雌コネクタ１２に設けられた雌側凹部１９の内部には、短絡端子２８が収容されている。本実施形態にかかる短絡端子２８は、接触片３３が後方を向く姿勢で、雌側凹部１９内に収容されている。短絡端子２８が、左右方向に隣り合う雌端子１４同士に接触することで、隣り合う雌端子１４同士が電気的に短絡されるようになっている。このように短絡端子２８は左右方向に隣り合う雌端子１４に接触するように設けられている。短絡端子２８は、雌ストッパ１８に後方から突き当たることにより、前止まり状態で雌側凹部１９内に保持されている。
【手続補正５】
【補正対象書類名】明細書
【補正対象項目名】００７７
【補正方法】変更
【補正の内容】
【００７７】
図１１には、雌コネクタ１２がやや後方に移動した状態が示される。雌コネクタ１２とムービングプレート３８の本体部３９とは離間している。解除部材４７の前端部は、雌ストッパ１８の内部に進入している。解除部材４７の前端部は短絡端子２８の接触片３３と離間している。雄タブ１５の先端は雌コネクタ１２と離間している。短絡端子２８の接触片３３は雌端子１４の上壁と接触している。
【手続補正６】
【補正対象書類名】明細書
【補正対象項目名】００７８
【補正方法】変更
【補正の内容】
【００７８】
図１２には、雌コネクタ１２が後方に移動して、雌コネクタ１２と本体部３９とが接触している状態が示される。図には詳細に示さないが、雌コネクタ１２の被係合部２２はムービングプレート３８の係合部４２の内側に嵌り込んでいる。解除部材４７の前端部は、雌ストッパ１８を貫通して、短絡端子２８の接触片３３に接触している。これにより、雌コネクタ１２およびムービングプレート３８が後方に移動することに伴って、解除部材４７が接触片３３に押されて後方に移動するようになっている。解除部材４７の後端部は、雄ストッパ２７の内部に入り込んでいる。解除部材４７の後端部は、雄側凹部２９の内壁と離間している。短絡端子２８の接触片３３は雄端子１６の上壁に接触している。雄端子１６に設けられた雄タブ１５は、雌端子１４の接続筒部２５と離間している。
【手続補正７】
【補正対象書類名】図面
【補正対象項目名】図６
【補正方法】変更
【補正の内容】
【図６】
2020149869.tif 000001
【手続補正８】
【補正対象書類名】図面
【補正対象項目名】図７
【補正方法】変更
【補正の内容】
【図７】
2020149869.tif 000002
【手続補正９】
【補正対象書類名】図面
【補正対象項目名】図８
【補正方法】変更
【補正の内容】
【図８】
2020149869.tif 000003
【手続補正１０】
【補正対象書類名】図面
【補正対象項目名】図９
【補正方法】変更
【補正の内容】
【図９】
2020149869.tif 000004
【手続補正１１】
【補正対象書類名】図面
【補正対象項目名】図１１
【補正方法】変更
【補正の内容】
【図１１】
2020149869.tif 000005
【手続補正１２】
【補正対象書類名】図面
【補正対象項目名】図１２
【補正方法】変更
【補正の内容】
【図１２】
2020149869.tif 000006
【手続補正１３】
【補正対象書類名】図面
【補正対象項目名】図１３
【補正方法】変更
【補正の内容】
【図１３】
2020149869.tif 000007
【手続補正１４】
【補正対象書類名】図面
【補正対象項目名】図１４
【補正方法】変更
【補正の内容】
【図１４】
2020149869.tif 000008
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
荷電粒子ビームを試料の観察領域に照射することによって前記観察領域から放出される複数の種類の信号を検出するように構成された荷電粒子ビーム照射部と、
前記荷電粒子ビーム照射部、入力部およびディスプレイの各々と通信可能に構成され、前記複数の種類の検出信号に基づいて前記試料の複数の観察画像をそれぞれ生成するように構成された処理部とを備え、
前記処理部は、前記複数の観察画像を前記ディスプレイに並べて表示することが可能なように構成され、
前記処理部は、前記ディスプレイ上の前記複数の観察画像のうちの第１の観察画像上の第１の領域が前記入力部により指示された場合、前記複数の観察画像のうちの前記第１の観察画像以外の第２の観察画像上の前記第１の領域に対応する第２の領域にマークを表示するように構成される、分析装置。
【請求項２】
前記入力部はポインティングデバイスであり、
前記入力部による前記第１の領域の指示は、前記ポインティングデバイスにより前記ディスプレイ上の位置が制御されるポインタを前記第１の観察画像上の前記第１の領域に置くことで出力される、請求項１に記載の分析装置。
【請求項３】
前記第２の領域に表示される前記マークの外観は、前記ポインタの外観とは異なるように構成される、請求項２に記載の分析装置。
【請求項４】
前記荷電粒子ビーム照射部は、反射電子、二次電子および１つまたは複数の特性Ｘ線のうち、少なくとも２つの信号を検出するように構成され、
前記複数の観察画像は、前記少なくとも２つの信号の各々に基づいた少なくとも２つの画像を含む、請求項１から３のいずれか１項に記載の分析装置。
【請求項５】
荷電粒子ビームを試料の観察領域に照射することによって前記観察領域から発生する複数の種類の検出信号を検出するように構成された、分析装置によって実行される画像処理方法であって、
前記複数の種類の検出信号に基づいて、前記試料の複数の観察画像をそれぞれ生成するステップと、
前記複数の観察画像をディスプレイに並べて表示するステップと、
前記ディスプレイ上の前記複数の観察画像のうちの第１の観察画像上の第１の領域が入力部により指示された場合、前記複数の観察画像のうちの前記第１の観察画像以外の第２の観察画像上の前記第１の領域に対応する第２の領域にマークを表示するよう指令するステップとを備える、画像処理方法。
【手続補正書】
【提出日】令和3年7月27日(2021.7.27)
【手続補正１】
【補正対象書類名】明細書
【補正対象項目名】００４６
【補正方法】変更
【補正の内容】
【００４６】
入出力Ｉ／Ｆ２２は、車外通信装置１の入出力Ｉ／Ｆと同様に、例えばシリアル通信するための通信インターフェイスである。入出力Ｉ／Ｆ２２を介して、車載中継装置２は、車外通信装置１、表示装置７（ＨＭＩ装置）及び、車両Ｃの起動及び停止を行うＩＧスイッチ（図示せず）と通信可能に接続される。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
積層されて電気的に直列に接続された複数の蓄電モジュールと、前記複数の蓄電モジュールを拘束して一体化する拘束部材と、を含む蓄電装置の電圧計測方法であって、
前記蓄電装置の正極端子及び負極端子に接続された充放電装置によって、一括して前記複数の蓄電モジュールの初期充電を行っているときに、前記蓄電装置の全体の電圧である総電圧を計測する総計測工程と、
前記初期充電を行っているときに、前記複数の蓄電モジュールのそれぞれの蓄電モジュールの電圧である個別電圧を計測する個別計測工程と、
前記個別電圧に基づいて前記蓄電モジュールの異常を検知する検知工程と、
を備え、
前記初期充電は、前記蓄電装置のエージングの前に実施され、
前記初期充電では、前記複数の蓄電モジュールの一括した充放電を行う、
電圧計測方法。
【請求項２】
前記初期充電、前記総計測工程、及び、前記個別計測工程は、前記蓄電装置を被搭載装置に搭載する際に前記蓄電装置に実装される別部材を、前記蓄電装置に電気的に接続した状態において行われる、
請求項１に記載の電圧計測方法。
【請求項３】
前記検知工程では、前記初期充電中の前記個別電圧の変化を、電圧変化の基準と比較することにより、前記蓄電モジュールの異常を検知する、
請求項１又は２に記載の電圧計測方法。
【請求項４】
前記初期充電では、前記複数の蓄電モジュールの一括した充放電を複数のサイクルにわたって行い、
前記検知工程では、前記初期充電中の前記個別電圧の変化を、前記サイクル毎に異なる電圧変化の基準と比較することにより、前記蓄電モジュールの異常を検知する、
請求項３に記載の電圧計測方法。
【請求項５】
前記検知工程では、前記個別電圧の変化として前記蓄電モジュールの放電電圧の変化を前記基準と比較することにより、前記蓄電モジュールの異常を検知する、
請求項３又は４に記載の電圧計測方法。
【手続補正書】
【提出日】令和3年8月6日(2021.8.6)
【手続補正１】
【補正対象書類名】明細書
【補正対象項目名】００１７
【補正方法】変更
【補正の内容】
【００１７】
金属パイプ３２は、全体として長尺の筒状をなしている。本実施形態の金属パイプ３２は、コルゲートチューブ３１側の端部において車両上下方向Ｚに沿って直線状に延びる直線部３５と、直線部３５の一端部に設けられた屈曲部３６と、屈曲部３６から車両前後方向Ｘに向かって直線状に延びる直線部３７とを有している。屈曲部３６は曲げ内側３６Ａを有している。
【手続補正２】
【補正対象書類名】明細書
【補正対象項目名】００３６
【補正方法】変更
【補正の内容】
【００３６】
次に、ワイヤハーネス１０の製造方法について説明する。
まず、図７（ａ）に示す工程では、複数本（ここでは、２本）の電線２０と、複数（ここでは、２つ）の規制部材４０Ａ，４０Ｂとを準備する。次に、複数の規制部材４０Ａ，４０Ｂの収容空間４１Ｘに２本の電線２０を挿通させる。このとき、図示は省略するが、図５に示した規制部材４０Ａ，４０Ｂの保持片４３と共に、収容空間４１Ｘから引き出された２本の電線２０にテープ５０を巻回することで、２本の電線２０を保持片４３（規制部材４０Ａ，４０Ｂ）に保持する。本工程では、２つの規制部材４０Ａ，４０Ｂの収容空間４１Ｘの長軸方向は互いに同じ方向に延びるように設定されている。例えば、規制部材４０Ａの収容空間４１Ｘの長軸方向と、規制部材４０Ｂの収容空間４１Ｘの長軸方向とは、車両上下方向Ｚに延びるように設定されている。このとき、収容空間４１Ｘでは、２本の電線２０の並び方向が収容空間４１Ｘの長軸方向に沿うように制限されている。このため、本工程における２本の電線２０は、車両上下方向Ｚに沿って並んで配列されている。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
複数の端末と、サービス提供者への顧客の紹介処理を管理する情報処理装置とがネットワークを介して接続された営業支援システムであって、
前記情報処理装置は、
顧客候補となる企業の複数の担当者を来訪した来訪者が属する会社の社名を含む来訪履歴と、前記企業の担当者のスケジュールと、前記サービス提供者側の営業担当者のスケジュールとを記憶する記憶部と、
前記サービス提供者のサービス内容が要約された要約情報と前記サービス内容の詳細を示す詳細情報へのアクセス情報とを含む顧客の紹介依頼を受け付ける紹介依頼受付部と、
前記紹介依頼受付部により前記紹介依頼を受け付けた場合に、前記要約情報または前記詳細情報が示すサービス内容と前記来訪履歴に含まれる前記来訪者が属する会社の社名とに基づいて、前記企業の複数の担当者の中から前記サービス提供者の営業先となる顧客担当者を抽出する抽出部と、
前記抽出部により抽出された前記顧客担当者の端末に、前記要約情報と前記アクセス情報とを送信する送信部と、
前記顧客担当者の端末により、前記詳細情報へのアクセス情報にアクセスされた場合に、前記サービス内容が示すサービスの営業商談のリクエストを受け付けるリクエスト受付部と、
前記リクエスト受付部により前記営業商談のリクエストを受け付けた場合に、前記営業商談のリクエストの送信元となる顧客担当者のスケジュールと、前記顧客担当者への営業を担当する前記営業担当者のスケジュールとをマッチングするマッチング部と、
を備えることを特徴とする営業支援システム。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
底壁を有する箱状のベースを有する筐体と、
前記底壁の内側に設けられた第１接続部と、
前記底壁の外側に設けられ、前記第１接続部と電気的に接続されている第２接続部と、
前記筐体の外側に設けられた制御回路基板と、
前記制御回路基板の前記底壁に対向する内面に固定され、前記第２接続部に当接し、電気的に接続されている第３接続部と、
前記制御回路基板と前記底壁との間に位置し、前記第３接続部の周囲に設けられている補強部材と、を備える磁気ディスク装置。
【請求項２】
前記補強部材は、前記第３接続部と一体に形成されている、請求項１に記載の磁気ディスク装置。
【請求項３】
前記補強部材は、前記制御回路基板及び前記底壁に接触している、請求項１又は２に記載の磁気ディスク装置。
【請求項４】
前記制御回路基板に形成された第１貫通孔と、前記補強部材に形成され、前記第１貫通孔に対向する第２貫通孔と、前記底壁に形成され、前記第２貫通孔に対向し、有底の第１穴部とに挿通されたネジにより前記制御回路基板及び前記補強部材が、前記底壁に固定されている、請求項１乃至３のいずれか１項に記載の磁気ディスク装置。
【請求項５】
前記底壁を貫通する透孔を通って前記第１接続部及び前記第２接続部を接続するフレキシブルプリント配線板を備えている、請求項１乃至４のいずれか１項に記載の磁気ディスク装置。
【請求項６】
前記底壁を貫通する透孔を気密に封止する封止基板を備え、
前記第１接続部は、前記封止基板の前記筐体の内側の第１面に設けられ、
前記第２接続部は、前記封止基板の前記筐体の外側の第２面に設けられている、請求項１乃至４のいずれか１項に記載の磁気ディスク装置。
【請求項７】
前記第２接続部は、複数のパッドを備え、
前記第３接続部は、前記複数のパッドにそれぞれ弾性的に当接する複数の接続端子を備えている、請求項１乃至６のいずれか１項に記載の磁気ディスク装置。
【請求項８】
底壁を有する箱状のベースを有する筐体と、
前記底壁の内側に設けられた第１接続部と、
前記底壁の外側に設けられ、前記第１接続部と電気的に接続されている第２接続部と、
前記筐体の外側に設けられた制御回路基板と、
前記制御回路基板の前記底壁に対向する内面に固定され、前記第２接続部に当接する第３接続部と、
前記制御回路基板及び前記第３接続部と前記底壁の間に位置する補強部材と、を備える磁気ディスク装置。
【請求項９】
前記補強部材及び前記制御回路基板の間に樹脂部材を備えている、請求項８に記載の磁気ディスク装置。
【請求項１０】
底壁を有する箱状のベースを有する筐体と、
前記底壁の内側に設けられた第１接続部と、
前記底壁の外側に設けられ、前記第１接続部と電気的に接続されている第２接続部と、
前記筐体の外側に設けられた制御回路基板と、
前記制御回路基板の前記底壁に対向する内面に固定され、前記第２接続部に当接し、電気的に接続されている第１部と前記底壁に接触する第２部とを有する第３接続部と、を備える磁気ディスク装置。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
カメラと、マイクと、スピーカとを備えて、前記マイクに入力した音声に基づいた案内用の音声を前記スピーカから出力する音声案内システムであって、
前記マイクに入力した音声による質問を受け付ける質問受付部と、
前記質問受付部が受け付けた質問に対応するユーザの音声の特徴を記憶し、記憶した音声の特徴に基づいて前記ユーザを認識する音声認識部と、
前記質問受付部が音声を検知した際に、前記カメラで撮影したユーザの画像又は画像の特徴を記憶し、記憶した画像又は画像の特徴に基づいて前記ユーザを認識する画像認識部と、
前記音声認識部が記憶したユーザの音声の特徴と、前記画像認識部が記憶したユーザの画像又は画像の特徴とを用いて案内を行うユーザを選択し、選択したユーザに対する案内用の音声を前記スピーカから出力させる案内部と、を備える
音声案内システム。
【請求項２】
前記案内部は、前記音声認識部が認識したユーザと、前記画像認識部が認識したユーザとが一致したユーザを選択し、選択したユーザと前記マイク及び前記スピーカを使って会話を実行する
請求項１に記載の音声案内システム。
【請求項３】
前記マイクは、複数個設置され、
前記質問受付部は、複数個の前記マイクからの音声入力を受付け、受け付けた音声入力の内で、前記音声認識部が記憶している特徴を持つユーザの音声が最も大きいマイクの音声入力による質問を受け付ける
請求項２に記載の音声案内システム。
【請求項４】
前記案内部は、出力音声を所定の言語に翻訳した音声とする翻訳部を備え、
前記質問受付部での前記マイクに入力した音声の受け付け状況に基づいて、前記案内部は、案内用の音声を出力させる代わりに、前記質問受付部が受け付けた音声を前記翻訳部が所定の言語に翻訳した音声を前記スピーカから出力させる
請求項１に記載の音声案内システム。
【請求項５】
前記質問受付部は、事前に登録されている音声の特徴又は画像の特徴を検出したユーザを非案内対象者とし、事前に登録されていない音声の特徴又は画像の特徴を検出したユーザを案内対象者とし、
前記案内部は、案内対象者の質問にのみ回答を行う
請求項１に記載の音声案内システム。
【請求項６】
前記画像認識部は、前記カメラが撮影した案内対象者の反応を検出する処理を行い、
さらに、非案内対象者の発話回数と前記案内対象者の反応により、非案内対象者の発話が案内対象者の期待する発話でないことを検知する会話破綻判定部と、
前記質問受付部が受け付けた音声による質問の回答の可否を判定する回答可否判定部と、を備え、
前記会話破綻判定部が会話破綻判定し、かつ前記回答可否判定部が回答可能と判定したとき、前記案内部は、案内対象者の質問への回答を出力する
請求項５に記載の音声案内システム。
【請求項７】
マイクに入力した音声に基づいた案内用の音声をスピーカが出力することで、音声による案内を行う音声案内方法であって、
質問受付部が、前記マイクに入力した音声による質問を受け付ける質問受付処理と、
音声認識部が、前記質問受付部での質問受付処理により受け付けた質問に対応するユーザの音声の特徴を記憶し、記憶した音声の特徴に基づいて前記ユーザを認識する音声認識処理と、
前記質問受付部での質問受付処理により音声を検知した際に、画像認識部が、カメラで撮影したユーザの画像又は画像の特徴を記憶すると共に、記憶した画像又は画像の特徴に基づいて前記ユーザを認識する画像認識処理と、
案内部が、前記画像認識部での音声認識処理により記憶したユーザの音声と、前記画像認識処理により記憶したユーザの画像又は画像の特徴を用いて案内を行うユーザを選択し、選択したユーザに対する案内用の音声を前記スピーカから出力させる案内処理と、を含む
音声案内方法。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
情報処理装置であって、
実行するアプリケーションをユーザに選択させるためのホーム画面を生成する生成部と、
前記生成部により生成されたホーム画面を表示させる出力部と、
アプリケーション実行部と、
を備え、
前記生成部は、１つのアプリケーションに関連する複数のコンテンツを示す複数のアイコンであって、互いに異なるコンテンツが表示される複数のアイコンを前記ホーム画面に配置し、
前記アプリケーション実行部は、前記ホーム画面に配置された前記複数のアイコンの中から特定のアイコンが選択された場合、前記１つのアプリケーションのプログラムを実行して、前記１つのアプリケーションに関する前記特定のアイコンが示すコンテンツを再生させることを特徴とする情報処理装置。
【請求項２】
前記複数のアイコンは、ユーザによる前記１つのアプリケーションのプレイ状況に応じたコンテンツを示すアイコンを含むことを特徴とする請求項１に記載の情報処理装置。
【請求項３】
前記生成部は、前記複数のアイコンとは異なるアイコンであって、複数のアプリケーションに対して実行可能な共通のメニューを示すメニューアイコンを前記１つのアプリケーションに関連付けて前記ホーム画面にさらに配置することを特徴とする請求項１または２に記載の情報処理装置。
【請求項４】
前記複数のアイコンは、前記１つのアプリケーションに関連する外観である一方、前記メニューアイコンは、特定のアプリケーションに非依存の外観であることを特徴とする請求項３に記載の情報処理装置。
【請求項５】
前記１つのアプリケーションに関連する複数のコンテンツのそれぞれをプレイするフレンドの情報を取得する取得部をさらに備え、
前記生成部は、前記フレンドの情報を前記ホーム画面にさらに配置し、前記ホーム画面におけるフォーカスが、前記１つのアプリケーションに関する第１のアイコンから、前記１つのアプリケーションに関する第２のアイコンに切り替えられた場合、前記ホーム画面での表示対象を、前記第１のアイコンが示すコンテンツをプレイするフレンドの情報から、前記第２のアイコンが示すコンテンツをプレイするフレンドの情報に切り替えることを特徴とする請求項１または２に記載の情報処理装置。
【請求項６】
フレンドの情報を取得する取得部をさらに備え、
前記生成部は、１人以上のフレンドを示す１つ以上のアイコンを前記ホーム画面にさらに配置し、前記取得部により或るフレンドの新たな情報が取得された場合、前記ホーム画面において前記或るフレンドのアイコンを動作させるとともに、前記ホーム画面の背景を動作させることを特徴とする請求項１または２に記載の情報処理装置。
【請求項７】
情報処理装置が、
実行するアプリケーションをユーザに選択させるためのホーム画面を生成するステップと、
前記生成するステップで生成されたホーム画面を表示させるステップと、
を実行し、
前記生成するステップは、１つのアプリケーションに関連する複数のコンテンツを示す複数のアイコンであって、互いに異なるコンテンツが表示される複数のアイコンを前記ホーム画面に配置し、
前記情報処理装置が、前記ホーム画面に配置された前記複数のアイコンの中から特定のアイコンが選択された場合、前記１つのアプリケーションのプログラムを実行して、前記１つのアプリケーションに関する前記特定のアイコンが示すコンテンツを再生させるステップをさらに実行することを特徴とする情報処理方法。
【請求項８】
情報処理装置に、
実行するアプリケーションをユーザに選択させるためのホーム画面を生成する機能と、
前記生成する機能により生成されたホーム画面を表示させる機能と、
アプリケーション実行機能と、
を実現させ、
前記生成する機能は、１つのアプリケーションに関連する複数のコンテンツを示す複数のアイコンであって、互いに異なるコンテンツが表示される複数のアイコンを前記ホーム画面に配置し、
前記アプリケーション実行機能は、前記ホーム画面に配置された前記複数のアイコンの中から特定のアイコンが選択された場合、前記１つのアプリケーションのプログラムを実行して、前記１つのアプリケーションに関する前記特定のアイコンが示すコンテンツを再生させることを特徴とするコンピュータプログラム。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技の動作を制御するための演算処理を行う演算処理手段と、
前記演算処理手段による前記演算処理の実行に必要な情報が記憶される記憶手段と、を備え、
前記記憶手段には、少なくとも２つの作業領域が設けられ、
各作業領域を使用して処理が実施される情報には、使用する作業領域に対応付けられた特定情報が付加されており、
前記演算処理手段は、前記２つの作業領域のうちの一方の作業領域を使用して情報の処理を行う場合には、処理対象となる情報に付加された前記特定情報に基づいて、使用する作業領域を選択可能であり、
前記特定情報は、対応する作業領域のアドレスを構成する上位側のアドレスデータを示すものであり、
前記演算処理手段による作業領域の選択処理では、前記演算処理手段は、前記特定情報に基づいて、使用する作業領域のアドレスを指定可能であり、
前記特定情報に基づいて指定可能な作業領域には、識別情報に関する情報が含まれる作業領域が存在し、
所定条件の成立に基づいて抽選を行う抽選手段と、
可変表示を行う可変制御手段と、
前記抽選の結果に基づいて遊技者に利益を付与可能な利益付与手段と、
所定の表示領域において特定演出を行う特定演出制御手段と、
前記特定演出から移行する演出であって、所定条件が成立すると前記特定演出よりも相対的に前記利益が付与される可能性が高められる特別演出を行う特別演出制御手段と、を備え、
前記特定演出は、
第１演出と、該第１演出の演出内容に関連する第２演出と、該第２演出で実行されなかった演出を実行可能な第３演出とを含み、前記第３演出よりも前記第２演出が先に実行される演出であり、
前記特別演出制御手段は、
前記特定演出において、前記第１演出、前記第２演出、前記第３演出が行われて所定条件が成立すると前記特別演出を実行可能に構成される
ことを特徴とする遊技機。
【手続補正２】
【補正対象書類名】明細書
【補正対象項目名】０００２
【補正方法】変更
【補正の内容】
【０００２】
従来、複数の図柄表示装置（表示領域）を備え、複数の図柄表示装置において同時に識別情報を変動表示可能な機能が設けられたパチンコ遊技機が知られている（例えば、特許文献１参照）。
【手続補正３】
【補正対象書類名】明細書
【補正対象項目名】０００３
【補正方法】変更
【補正の内容】
【０００３】
ところで、上述した遊技機は、通常、識別情報の判定等の主な遊技動作を制御する回路（主制御回路）が実装された主制御基板と、映像の表示等による演出動作を制御する回路（副制御回路）が実装された副制御基板とを備える。遊技動作は、主制御回路に搭載されたＣＰＵ（Central Processing Unit）により制御される。この際、ＣＰＵの制御により、主制御回路のＲＯＭ（Read Only Memory）に記憶されたプログラム及び各種テーブルデータ等が主制御回路のＲＡＭ（Random Access Memory）に展開され、各種遊技動作に関する処理が実行される。そして、近年、このような遊技機では、主制御回路で行われる処理をより効率よく実行し、主制御回路の処理負荷を軽減できる技術の開発が求められている。
【手続補正４】
【補正対象書類名】明細書
【補正対象項目名】０００４
【補正方法】変更
【補正の内容】
【０００４】
【特許文献１】特開２０１５−１５０３０３号公報
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
本発明は、上述した課題に鑑みてなされたものであり、主制御回路で行われる処理をより効率よく実行し、主制御回路の処理負荷を軽減することが可能な遊技機を提供することを目的とする。
【手続補正７】
【補正対象書類名】明細書
【補正対象項目名】０００７
【補正方法】変更
【補正の内容】
【０００７】
本発明に係る遊技機は、遊技の動作を制御するための演算処理を行う演算処理手段と、前記演算処理手段による前記演算処理の実行に必要な情報が記憶される記憶手段と、を備え、前記記憶手段には、少なくとも２つの作業領域が設けられ、各作業領域を使用して処理が実施される情報には、使用する作業領域に対応付けられた特定情報が付加されており、前記演算処理手段は、前記２つの作業領域のうちの一方の作業領域を使用して情報の処理を行う場合には、処理対象となる情報に付加された前記特定情報に基づいて、使用する作業領域を選択可能であり、前記特定情報は、対応する作業領域のアドレスを構成する上位側のアドレスデータを示すものであり、前記演算処理手段による作業領域の選択処理では、前記演算処理手段は、前記特定情報に基づいて、使用する作業領域のアドレスを指定可能であり、前記特定情報に基づいて指定可能な作業領域には、識別情報に関する情報が含まれる作業領域が存在し、所定条件の成立に基づいて抽選を行う抽選手段と、可変表示を行う可変制御手段と、前記抽選の結果に基づいて遊技者に利益を付与可能な利益付与手段と、所定の表示領域において特定演出を行う特定演出制御手段と、前記特定演出から移行する演出であって、所定条件が成立すると前記特定演出よりも相対的に前記利益が付与される可能性が高められる特別演出を行う特別演出制御手段と、を備え、前記特定演出は、第１演出と、該第１演出の演出内容に関連する第２演出と、該第２演出で実行されなかった演出を実行可能な第３演出とを含み、前記第３演出よりも前記第２演出が先に実行される演出であり、前記特別演出制御手段は、前記特定演出において、前記第１演出、前記第２演出、前記第３演出が行われて所定条件が成立すると前記特別演出を実行可能に構成されることを特徴としている。
【手続補正８】
【補正対象書類名】明細書
【補正対象項目名】０００８
【補正方法】変更
【補正の内容】
【０００８】
本発明によれば、主制御回路で行われる処理をより効率よく実行し、主制御回路の処理負荷を軽減することができる。